(57)【特許請求の範囲】
【請求項１】
中空の箱状を呈するケース本体と、前記ケース本体に設けられた取付部と、を備え、
前記取付部は、前記ケース本体から立ち上がる一対の立上基部分と、前記両立上基部分の突出端を架け渡す架渡部分と、を有し、少なくとも一部に前記ケース本体から突出するリブ突起が宛がわれ、
前記取付部は、前記ケース本体の側面を取り巻きつつ前記側面から突出する環状リブ突条に設けられ、
前記取付部は、前記側面に沿って突出し、
前記リブ突起は、前記側面および前記環状リブ突条から突出することで前記取付部に宛がわれ、
前記リブ突起は、前記側面から前記架渡部分の中間位置へ向けて突出する板形状を呈し、
前記取付部では、前記ケース本体との間に位置する空間が前記リブ突起により分割されていることを特徴とするキャリングケース。
【請求項２】
前記取付部は、金属材料から形成された棒状の部材を湾曲させて形成されたことを特徴とする請求項１に記載のキャリングケース。
【発明の詳細な説明】
【技術分野】
【０００１】
本発明は、キャリングケースに関する。
【背景技術】
【０００２】
測量では、測量を行う現場にトータルステーションのような測量機を持ち運ぶ必要がある。このため、測量機をキャリングケースに収容し、携帯具を用いてキャリングケースを背負うことを可能とすることが考えられている（例えば、特許文献１参照）。このキャリングケースでは、自身を覆うように携帯具が装着され、その携帯具の肩掛ベルト部を両肩に掛けることで、測量機を収容した状態で背負うことができ、その測量機を保護しつつ持ち運ぶことが容易となる。
【先行技術文献】
【特許文献】
【０００３】
【特許文献１】特開２００３−０９０７２４号公報
【発明の概要】
【発明が解決しようとする課題】
【０００４】
ところで、上記した従来技術では、携帯具がキャリングケースを覆いつつ装着される構成であるので、その携帯具が大きくなってしまい、測量機を使用したり保管したりする際のキャリングケースおよび携帯具の取り扱いが煩わしくなる。このことから、キャリングケースでは、全体を覆う携帯具に替えて、両肩に掛ける肩掛ベルト部に装着のためのフック部を設けた簡易な構成のベルト部材を用いることが考えられる。このため、キャリングケースでは、フック部を介してベルト部材の装着を可能な構成とすることが望ましい。
【０００５】
本発明は、上記の事情に鑑みて為されたもので、フック部を介してベルト部材を装着することのできるキャリングケースを提供することを目的とする。
【課題を解決するための手段】
【０００６】
上記した課題を解決するために、本願発明のキャリングケースは、中空の箱状を呈するケース本体と、前記ケース本体に設けられた取付部と、を備え、前記取付部は、前記ケース本体から立ち上がる一対の立上基部分と、前記両立上基部分の突出端を架け渡す架渡部分と、を有し、少なくとも一部に前記ケース本体から突出するリブ突起が宛がわれていることを特徴とする。
【発明の効果】
【０００７】
本発明のキャリングケースによれば、フック部を介してベルト部材を装着することができる。
【図面の簡単な説明】
【０００８】
【図１】本発明に係るキャリングケースの一例としての実施例のキャリングケース１０を第１正面１６側であって正側Ｘ側面１８Ａ側から見た様子を示す説明図である。
【図２】キャリングケース１０を第１正面１６側であって負側Ｘ側面１８Ｂ側から見た様子を示す説明図である。
【図３】第１外殻部１１に設けた上側取付金具２５を拡大して示す説明図である。
【図４】第１外殻部１１に設けた下側取付金具２６を拡大して示す説明図である。
【図５】下側取付金具２６を設ける様子を説明すべく各部品を分解して示す説明図である。
【図６】両下側取付金具２６および両取付穴部２７を用いて衝撃吸収部材５０を装着した状態を示す説明図である。
【図７】衝撃吸収部材５０を装着した状態を、負側Ｘ側面１８Ｂ側から見た様子を示す説明図である。
【図８】衝撃吸収部材５０に加えて、上側取付金具２５および両下側取付金具２６を用いてベルト部材６０を装着した状態を示す説明図である。
【図９】衝撃吸収部材５０に加えてベルト部材６０を装着した状態を、負側Ｘ側面１８Ｂ側から見た様子を示す説明図である。
【発明を実施するための形態】
【０００９】
以下に、本願発明に係るキャリングケースの実施の形態について図面を参照しつつ説明する。
【実施例１】
【００１０】
本願発明に係るキャリングケースの一例としてのキャリングケース１０の概略的な構成について、図１から図９を用いて説明する。
【００１１】
キャリングケース１０は、物品を収容することで当該物品を保護しつつ持ち運びを容易とするものであり、本実施例ではトータルステーション等の測量機を収容する。このキャリングケース１０は、図１および図２に示すように、収容空間を形成すべく第１外殻部１１と第２外殻部１２とを閉じ合わせて構成する。以下の説明では、収容状態で第１外殻部１１と第２外殻部１２とが対向する方向をＺ方向とし、第１外殻部１１側をＺ方向正側とする。また、図１および図２においてキャリングケース１０が置かれた面に沿う方向であってＺ方向と直交する方向をＸ方向とし、図１を正面視した手前側をＸ方向負側とする。さらに、Ｘ方向およびＺ方向に直交する方向をＹ方向とし、図１および図２を正面視した上側をＹ方向正側とする。
【００１２】
第１外殻部１１および第２外殻部１２は、それぞれが椀形状を呈し、本実施例では樹脂材料から射出成型により形成する。この第１外殻部１１と第２外殻部１２とは、Ｙ方向負側の端部に設けた蝶番を介して開閉自在に連結され、Ｙ方向正側の端部に設けた固定具１４により閉じ合わされた状態で固定される。第１外殻部１１と第２外殻部１２とは、Ｚ方向で閉じ合わされることで、中空の箱状を呈するケース本体１３を形成する。このケース本体１３は、本実施例では、Ｘ方向に長尺な直方体形状を呈し、Ｙ方向正側の端部に設けた把持部１５により持ち運びが可能とされる。ケース本体１３（キャリングケース１０）では、第１外殻部１１におけるＺ方向（Ｚ方向正側）に位置する平坦面を第１正面１６とし、第２外殻部１２におけるＺ方向（Ｚ方向負側）に位置する平坦面を第２正面１７とする。その第１正面１６と第２正面１７とは、それぞれＸ方向およびＹ方向を含む面と平行でありＺ方向で並列し、そのＺ方向で見て四角形状を呈する。
【００１３】
その第１外殻部１１には、第１中央リブ突条２１と第１中央リブ溝２２と一対の第１側方リブ突条２３と一対の第１側方リブ溝２４と１つの上側取付金具２５（図１参照）と２つの下側取付金具２６（図２参照）と２つの取付穴部２７（図１参照）とが設けられる。第１中央リブ突条２１は、第１正面１６において、Ｙ方向で見た中央位置で、Ｚ方向正側に突出しつつＸ方向に伸びて形成し、Ｙ方向での寸法（幅寸法）およびＺ方向での寸法（高さ寸法）を全長に亘り均一とする。この第１中央リブ突条２１は、Ｘ方向で見た両端が第１外殻部１１においてＸ方向に位置する両Ｘ側面１８（正側Ｘ側面１８Ａ（図１参照）および負側Ｘ側面１８Ｂ（図２参照））まで伸びる。
【００１４】
この第１中央リブ突条２１に第１中央リブ溝２２を設ける。その第１中央リブ溝２２は、Ｙ方向で見た第１中央リブ突条２１の中央をＺ方向負側に凹ませつつその第１中央リブ突条２１に沿う方向（Ｘ方向）に伸びて形成する。第１中央リブ溝２２は、Ｙ方向での寸法（幅寸法）およびＺ方向での寸法（深さ寸法）を全長に亘り均一とする。本実施例では、第１中央リブ溝２２には、会社名や商品名やブランド名等を記載するプレート板２２ａを設けている。
【００１５】
一対の第１側方リブ突条２３は、第１中央リブ突条２１をＹ方向で挟む位置ですなわち第１中央リブ突条２１のＹ方向正側の位置とＹ方向負側の位置とで、Ｚ方向正側に突出しつつＸ方向に伸びて形成する。この両第１側方リブ突条２３は、Ｙ方向での寸法（幅寸法）およびＺ方向での寸法（高さ寸法）を全長に亘り均一とする。両第１側方リブ突条２３は、第１正面１６においてＸ方向で見た両端が第１正面１６（第１外殻部１１）の４つの隅部２８のうちの最も近いものに向けて湾曲する。
【００１６】
この各第１側方リブ突条２３に第１側方リブ溝２４を設ける。その各第１側方リブ溝２４は、対応する第１側方リブ突条２３のＹ方向で見た中央をＺ方向負側に凹ませつつその第１側方リブ突条２３に沿う方向に伸びて形成する。各第１側方リブ溝２４は、Ｙ方向での寸法（幅寸法）およびＺ方向での寸法（深さ寸法）を全長に亘り均一とする。このため、各第１側方リブ溝２４は、図２に示すように、Ｘ方向で見た中央箇所がＸ方向に伸び、Ｘ方向で見た両端箇所が対応する第１側方リブ突条２３に倣って湾曲して第１正面１６（第１外殻部１１）の対応する隅部２８へ向かい当該隅部２８上まで伸びる。これにより、Ｙ方向正側の第１側方リブ溝２４では、Ｘ方向正側の端部がＸ方向正側でかつＹ方向正側の隅部２８上へ、Ｘ方向負側の端部がＸ方向負側でかつＹ方向正側の隅部２８上へ、と夫々向かう。また、Ｙ方向負側の第１側方リブ溝２４は、Ｘ方向正側の端部がＸ方向正側でかつＹ方向負側の隅部２８上へ、Ｘ方向負側の端部がＸ方向負側でかつＹ方向負側の隅部２８上へ、と夫々向かう。
【００１７】
１つの上側取付金具２５および２つの下側取付金具２６は、図１および図２に示すように、ケース本体１３における環状リブ突条２９に設ける。その環状リブ突条２９は、直方体形状のケース本体１３において、Ｚ方向を中心とする回転方向で見た全周に亘りＺ方向と直交する方向へと突出して設けられる。環状リブ突条２９は、ケース本体１３において、Ｘ方向に位置する両Ｘ側面１８（正側Ｘ側面１８Ａ（図１参照）および負側Ｘ側面１８Ｂ（図２参照））と、Ｙ方向に位置する両Ｙ側面１９（正側Ｙ側面１９Ａおよび負側Ｙ側面１９Ｂ）と、を架け渡す環状を呈する。この環状リブ突条２９は、ケース本体１３を構成する第１外殻部１１と第２外殻部１２との開放端部（閉じ合わされる箇所）を跨いで設けられ、第１外殻部１１に設けた第１環状リブ突条２９Ａと第２外殻部１２に設けた第２環状リブ突条２９Ｂとで形成される。その第１環状リブ突条２９Ａと第２環状リブ突条２９Ｂとは、自らが設けられた外郭部（第１外殻部１１または第２外殻部１２）の開放端部の大きさ寸法を部分的に拡大するように、Ｚ方向に直交する面における外側へと突出する。
【００１８】
１つの上側取付金具２５は、図１に示すように、ケース本体１３におけるＸ方向正側に位置する正側Ｘ側面１８Ａにおいて、第１外殻部１１の第１環状リブ突条２９Ａ（環状リブ突条２９）に設ける。その上側取付金具２５は、本実施例では、正側Ｘ側面１８Ａにおいて、第１中央リブ突条２１上に位置させている。この上側取付金具２５は、図１および図３に示すように、正側Ｘ側面１８ＡとＸ方向で間隔を置きつつ第１環状リブ突条２９Ａ（環状リブ突条２９）からＺ方向正側に向けて突出して設けており、正側Ｘ側面１８Ａに沿って存在する。上側取付金具２５は、本実施例では、後述する各下側取付金具２６と同様に、金属材料から形成された棒状の部材をＵ字状に湾曲させて形成して設けられる。この上側取付金具２５は、第１環状リブ突条２９ＡからＺ方向正側に立ち上がる一対の立上基部分２５ａと、その両立上基部分２５ａの突出端とをＹ方向に架け渡す架渡部分２５ｂと、を有する。このため、本実施例では、第１中央リブ突条２１が線状リブ突条として機能する。
【００１９】
この上側取付金具２５では、第１環状リブ突条２９ＡからＺ方向正側に立ち上がる両立上基部分２５ａに補助リブ突起３１が宛がわれる。その補助リブ突起３１は、第１中央リブ突条２１のＹ方向で見た両縁部で対を為して設けられ、Ｘ−Ｚ平面に沿う板形状を呈し、その両縁部に沿って当該第１中央リブ突条２１（正側Ｘ側面１８Ａ）と第１環状リブ突条２９Ａとから突出する。各補助リブ突起３１では、Ｙ方向で見て互いに対向する側（内側）でかつＸ方向正側の縁部に受入凹所３２を設ける。この各受入凹所３２は、自らが設けられた補助リブ突起３１の縁部を、立上基部分２５ａ（その外周面）に倣う形状に切り欠いて形成される。各補助リブ突起３１は、Ｙ方向で見た外側でかつＸ方向負側から立上基部分２５ａに受入凹所３２を対向させることで上側取付金具２５に宛がわれる。この上側取付金具２５では、ケース本体１３（第１環状リブ突条２９Ａおよび第１中央リブ突条２１（正側Ｘ側面１８Ａ）（それらの外表面））との間に空間を形成している。
【００２０】
なお、本実施例のケース本体１３では、第１外殻部１１の負側Ｘ側面１８Ｂにおける第１中央リブ突条２１上と、第２外殻部１２の両Ｘ側面１８における第１中央リブ突条２１上と、に一対の補助リブ突起３３を設けている（図１、図２参照）。その各補助リブ突起３３は、受入凹所３２に相当するものが設けられていないことを除くと、基本的に第１中央リブ突条２１上で対を為す補助リブ突起３１と同様の構成である。このため、ケース本体１３では、上側取付金具２５を設けた第１外殻部１１の正側Ｘ側面１８Ａにおける第１中央リブ突条２１上と、各Ｘ側面１８における他の３つの第１中央リブ突条２１上と、で略等しい印象を与えることができる。
【００２１】
２つの下側取付金具２６は、図２に示すように、ケース本体１３におけるＸ方向負側に位置する負側Ｘ側面１８Ｂにおいて、第１外殻部１１の第１環状リブ突条２９Ａ（環状リブ突条２９）にＹ方向に並列させて設ける。その各下側取付金具２６は、本実施例では、負側Ｘ側面１８Ｂにおいて、第１中央リブ突条２１（第１中央リブ溝２２）と各第１側方リブ突条２３（各第１側方リブ溝２４）との間に位置させている。両下側取付金具２６は、設けられた位置（Ｙ方向での位置）を除くと等しい構成としているので、図４および図５では一方のみを拡大して示す。この各下側取付金具２６は、図２、図４および図５に示すように、負側Ｘ側面１８ＢとＸ方向で間隔を置きつつ第１環状リブ突条２９Ａ（環状リブ突条２９）からＺ方向正側に向けて突出して設けており、負側Ｘ側面１８Ｂに沿って存在する。各下側取付金具２６は、本実施例では、図５に示すように、金属材料から形成された棒状の部材をＵ字状に湾曲させて形成し、その両端を第１環状リブ突条２９Ａに設けた設置穴２６ａにＺ方向正側から通し、当該両端にＺ方向負側からネジ部材２６ｂを取り付けることで、第１環状リブ突条２９Ａに設ける。この構成は、上述したように上側取付金具２５であっても同様である。この各下側取付金具２６は、第１環状リブ突条２９Ａ（その設置穴２６ａ）からＺ方向正側に立ち上がる一対の立上基部分２６ｃと、その両立上基部分２６ｃの突出端をＹ方向に架け渡す架渡部分２６ｄと、を有する。
【００２２】
この各下側取付金具２６では、Ｙ方向に伸びる架渡部分２６ｄに分割リブ突起３４が宛がわれる。その各分割リブ突起３４は、Ｘ−Ｚ平面に沿う板形状を呈し、第１環状リブ突条２９Ａと負側Ｘ側面１８Ｂとから突出する。各分割リブ突起３４では、本実施例では、Ｘ方向負側への突出位置を、対応する下側取付金具２６におけるＸ方向負側の縁部と、略等しくしている。この各分割リブ突起３４では、Ｘ方向負側でかつＺ方向正側の角部に受入凹所３５（図５参照）を設けている。この受入凹所３５は、自らが設けられた分割リブ突起３４の角部を、架渡部分２６ｄ（その外周面）に倣う形状に切り欠いて形成される。各分割リブ突起３４は、架渡部分２６ｄ（その外周面）のＹ方向で見た中間位置に、Ｘ方向正側でかつＺ方向負側から受入凹所３５を対向させることで、対応する下側取付金具２６に宛がわれる。この各下側取付金具２６では、ケース本体１３（第１環状リブ突条２９Ａおよび負側Ｘ側面１８Ｂ（それらの外表面））との間に空間を形成しているとともに、当該空間が分割リブ突起３４により分割されている。
【００２３】
２つの取付穴部２７は、図１に示すように、ケース本体１３におけるＸ方向正側に位置する正側Ｘ側面１８Ａにおいて、第１外殻部１１の第１環状リブ突条２９Ａ（環状リブ突条２９）に設ける。各取付穴部２７は、第１環状リブ突条２９Ａにおいて、上側取付金具２５をＹ方向で挟む位置ですなわち上側取付金具２５のＹ方向正側の位置とＹ方向負側の位置とに設ける。この各取付穴部２７は、第１環状リブ突条２９Ａを穿って形成し、後述する衝撃吸収部材５０の取付ベルト部５２を通すことを可能とする（図６参照）。
【００２４】
第２外殻部１２には、図１および図２に示すように、第２中央リブ突条４１と第２中央リブ溝４２と一対の第２側方リブ突条４３と一対の第２側方リブ溝４４とが設けられる。その第２中央リブ突条４１および第２中央リブ溝４２は、Ｚ方向で見ると、第１外殻部１１に設けた第１中央リブ突条２１および第１中央リブ溝２２と一致するものとしている。また、両第２側方リブ突条４３および両第２側方リブ溝４４は、Ｚ方向で見ると、第１外殻部１１に設けた両第１側方リブ突条２３および両第１側方リブ溝２４と一致するものとしている。このため、キャリングケース１０では、第１正面１６側から見ても第２正面１７側から見ても等しい印象を与えることができる。
【００２５】
このキャリングケース１０では、図６および図７に示すように、衝撃吸収部材５０を装着することができる。この図６および図７では、鉛直方向で見て正側Ｘ側面１８Ａを上側にかつ負側Ｘ側面１８Ｂを下側にしてケース本体１３（キャリングケース１０）を立てた状態を示す。衝撃吸収部材５０は、キャリングケース１０を背負う際に第１外殻部１１（その第１正面１６）に直接背中が触れることを防止し、かつ第１外殻部１１（第１正面１６）から背中への衝撃を吸収する。衝撃吸収部材５０は、本実施例では、吸収本体部５１と取付ベルト部５２と調整部材５３とフック部５４とを有する。その吸収本体部５１は、薄板形状を呈する弾性部材で形成され、その裏面に取付ベルト部５２が設けられる。その取付ベルト部５２は、Ｙ方向で並列しつつＸ方向に平行に伸びる帯状を呈し、それぞれの吸収本体部５１よりもＸ方向正側に調整部材５３が設けられ、それぞれのＸ方向負側の端部にフック部５４が設けられる（図７参照）。その調整部材５３は、例えばバックルやラッチ等の構成を採用し、折り返された取付ベルト部５２のＸ方向正側の端部を受け入れることで、当該取付ベルト部５２の長さの調節を可能とする（図６参照）。各フック部５４は、キャリングケース１０の第１外殻部１１に設けた各下側取付金具２６への取り付けと、その状態からの取り外しと、が可能である。
【００２６】
この衝撃吸収部材５０は、次のようにキャリングケース１０（ケース本体１３）に装着する。衝撃吸収部材５０では、各取付ベルト部５２の上端を正側Ｘ側面１８Ａの２つの取付穴部２７に個別に通した後に調整部材５３へと通し（図６参照）、かつ２つのフック部５４を負側Ｘ側面１８Ｂの２つの下側取付金具２６に個別に取り付ける（図７参照）。本実施例では、衝撃吸収部材５０の両フック部５４は、各下側取付金具２６がケース本体１３との間に形成し分割リブ突起３４により分割されたＹ方向内側の空間に、すなわち各下側取付金具２６（その架渡部分２６ｄ）における分割リブ突起３４の内側に取り付ける（図７参照）。そして、衝撃吸収部材５０では、各調整部材５３で各取付ベルト部５２の長さを調節することで、吸収本体部５１を第１外殻部１１の第１正面１６に面で接触させつつケース本体１３（キャリングケース１０）に装着される。
【００２７】
また、キャリングケース１０では、図８および図９に示すように、ベルト部材６０を装着することができる。この図８および図９では、図６および図７と同様に、鉛直方向で見て正側Ｘ側面１８Ａを上側にかつ負側Ｘ側面１８Ｂを下側にしてケース本体１３（キャリングケース１０）を立てた状態を示す。ベルト部材６０は、キャリングケース１０を背負うために装着するものであり、本実施例では、肩掛ベルト部６１に３つのフック部６２と調整部材６３とを設けて構成する。その肩掛ベルト部６１は、Ｙ方向で並列しつつＸ方向に平行に伸びる帯状を呈し、Ｘ方向正側の端部を１つに纏め、そこに単一のフック部６２を設ける（図８参照）。また、肩掛ベルト部６１では、Ｙ方向で並列するそれぞれのＸ方向負側の端部に、単一のフック部６２が設けられる（図９参照）。その各フック部６２は、キャリングケース１０の第１外殻部１１に設けた各取付金具（上側取付金具２５および各下側取付金具２６）への取り付けと、その状態からの取り外しと、が可能である。調整部材６３は、例えばバックルやラッチ等の構成を採用し、肩掛ベルト部６１に設けられることで当該肩掛ベルト部６１の長さの調節を可能とする。
【００２８】
このベルト部材６０は、次のようにキャリングケース１０（ケース本体１３）に装着する。なお、図８および図９では、上述したように衝撃吸収部材５０を装着した後に、ベルト部材６０を装着する様子を示す。ベルト部材６０では、Ｘ方向正側の端部のフック部６２を正側Ｘ側面１８Ａの上側取付金具２５に取り付け（図８参照）、かつＸ方向負側の端部の２つのフック部６２を負側Ｘ側面１８Ｂの２つの下側取付金具２６に個別に取り付ける（図９参照）。本実施例では、Ｘ方向負側の端部の両フック部６２は、各下側取付金具２６がケース本体１３との間に形成し分割リブ突起３４により分割されたＹ方向外側の空間に、すなわち各下側取付金具２６（その架渡部分２６ｄ）における分割リブ突起３４の外側に取り付ける（図９参照）。そして、ベルト部材６０では、各調整部材６３で各肩掛ベルト部６１の長さを調節することで、第１外殻部１１の第１正面１６（本実施例では吸収本体部５１（衝撃吸収部材５０））と肩掛ベルト部６１との間隔を適切としつつケース本体１３（キャリングケース１０）に装着される。
【００２９】
このため、キャリングケース１０では、上側取付金具２５および各下側取付金具２６が、ベルト部材６０のフック部６２の取り付けを可能とすべくケース本体１３に設けられた取付部として機能する。また、キャリングケース１０では、上側取付金具２５に宛がわれる両補助リブ突起３１と、各下側取付金具２６に宛がわれる各分割リブ突起３４と、がケース本体１３から突出するリブ突起として機能する。これにより、ベルト部材６０は、上側取付金具２５および各下側取付金具２６を利用してケース本体１３（キャリングケース１０）に装着されることで、両肩掛ベルト部６１を両肩に掛けてキャリングケース１０を背負うことを可能とする。また、衝撃吸収部材５０は、各下側取付金具２６および各取付穴部２７を利用してケース本体１３（キャリングケース１０）に装着されることで、背負った際の第１外殻部１１（その第１正面１６）から背中への衝撃を吸収する。よって、キャリングケース１０では、負担をより軽減しつつ持ち運ぶことをより容易とすることができる。
【００３０】
このとき、各下側取付金具２６では、衝撃吸収部材５０のフック部５４とベルト部材６０のフック部６２とが取り付けられるが、ケース本体１３との間に形成する空間を分割リブ突起３４により分割しているので、互いに干渉することを防止できる（図９参照）。また、上側取付金具２５および各下側取付金具２６では、フック部５４やフック部６２の取り付けを可能とすべく、少なくとも架渡部分２５ｂまたは架渡部分２６ｄの周辺に空間を存在させている必要がある。そこで、上側取付金具２５では、ケース本体１３（第１環状リブ突条２９Ａおよび第１中央リブ突条２１（正側Ｘ側面１８Ａ）（それらの外表面））との間に空間を形成し、各下側取付金具２６では、ケース本体１３（第１環状リブ突条２９Ａおよび負側Ｘ側面１８Ｂ（それらの外表面））との間に空間を形成している。ここで、上側取付金具２５および各下側取付金具２６では、外部からの大きな負荷が加わることで変形すると、ケース本体１３との間に空間を形成できなくなる虞があり、フック部５４やフック部６２の取り付けの機能が損なわれる虞がある。ところが、上側取付金具２５では、Ｚ方向正側に立ち上がる両立上基部分２５ａに、第１中央リブ突条２１（正側Ｘ側面１８Ａ）と第１環状リブ突条２９Ａとから突出する補助リブ突起３１が宛がわれているので、外部からの大きな負荷が加わっても空間を無くすような変形が防止される。また、各下側取付金具２６では、Ｙ方向に伸びる架渡部分２６ｄの中間位置に、ケース本体１３（第１環状リブ突条２９Ａおよび負側Ｘ側面１８Ｂ）から突出する分割リブ突起３４が宛がわれているので、外部からの大きな負荷が加わっても空間を無くすような変形が防止される。
【００３１】
本発明に係るキャリングケースの一実施例としてのキャリングケース１０では、ケース本体１３に、そこから立ち上がる一対の立上基部分（２５ａ、２６ｃ）と、それらの突出端を架け渡す架渡部分（２５ｂ、２６ｄ）と、を有する取付部（上側取付金具２５および各下側取付金具２６）を設けている。このため、キャリングケース１０では、その取付部に各フック部６２を取り付けることで、肩掛ベルト部６１に各フック部６２と調整部材６３とを設けて構成したベルト部材６０を装着することができる。このため、キャリングケース１０では、ケース本体１３全体を覆う携帯具を用いることなく、測量機を収容した状態で背負うことができ、その測量機を保護しつつ容易に持ち運ぶことができる。また、キャリングケース１０では、装着可能なベルト部材６０が、肩掛ベルト部６１に各フック部６２と調整部材６３とを設けて構成されているので、小さな構成とすることができ、測量機を使用したり保管したりする際の当該ベルト部材６０の取り扱いを簡単なものとすることができる。
【００３２】
また、キャリングケース１０では、取付部（上側取付金具２５および各下側取付金具２６）にケース本体１３から突出するリブ突起（両補助リブ突起３１および各分割リブ突起３４）を宛がっている。このため、キャリングケース１０では、取付部に外部から負荷が加わっても、その取付部がケース本体１３との間の空間を無くすように変形することを防止できる。これにより、キャリングケース１０では、取付部における各フック部６２の取り付けの機能が損なわれることを防止でき、確実にベルト部材６０の装着を可能とすることができる。
【００３３】
さらに、キャリングケース１０では、金属材料から形成された棒状の部材を湾曲させることで、両立上基部分（２５ａ、２６ｃ）と架渡部分（２５ｂ、２６ｄ）とを有する取付部（上側取付金具２５および各下側取付金具２６）を形成する。このため、キャリングケース１０では、測量機を収容した状態で背負うためのベルト部材６０を装着すべく各フック部６２が取り付けられる取付部の強度を十分に確保することができる。また、キャリングケース１０では、取付部の強度を十分に確保できるので、ベルト部材６０に加えて他の被装着部材のフック部（本実施例では衝撃吸収部材５０のフック部５４）を取付部に取り付けることができる。このため、キャリングケース１０では、より確実にベルト部材６０の装着を可能としつつ、使い勝手を向上させることができる。
【００３４】
キャリングケース１０では、取付部（上側取付金具２５および各下側取付金具２６）を、ケース本体１３の側面（両Ｘ側面１８、両Ｙ側面１９）を取り巻きつつ当該側面から突出する環状リブ突条２９に設けている。このように、キャリングケース１０では、ケース本体１３の縁部に位置する環状リブ突条２９に取付部を設けたので、各フック部６２を介して装着したベルト部材６０の両肩掛ベルト部６１を両肩に掛けて背負う際の安定性を高めることができる。
【００３５】
キャリングケース１０では、取付部（上側取付金具２５および各下側取付金具２６）を環状リブ突条２９からケース本体１３の側面（両Ｘ側面１８、両Ｙ側面１９）に沿って突出させている。また、キャリングケース１０では、リブ突起（両補助リブ突起３１および各分割リブ突起３４）を、側面および環状リブ突条２９から突出させることで、取付部に宛がっている。このため、キャリングケース１０では、取付部と側面との間にリブ突起が存在するので、取付部に外部から負荷が加わっても、取付部と側面との間隔が狭くなるように当該取付部が変形することを防止することができる。これにより、キャリングケース１０では、取付部における各フック部６２の取り付けの機能が損なわれることをより確実に防止でき、より確実にベルト部材６０の装着を可能とすることができる。
【００３６】
キャリングケース１０では、取付部としての各下側取付金具２６に宛がうリブ突起としての各分割リブ突起３４を、ケース本体１３の側面（負側Ｘ側面１８Ｂ）から各下側取付金具２６の架渡部分２６ｄ（その外周面）のＹ方向で見た中間位置に向けて突出する板形状としている。このため、キャリングケース１０では、分割リブ突起３４が下側取付金具２６を効率良く安定して支持することができ、各フック部６２の取り付けの機能が損なわれることをより確実に防止できる。特に、本実施例のキャリングケース１０では、架渡部分２６ｄ（その外周面）に倣う形状に切り欠いて形成した受入凹所３５を当該架渡部分２６ｄに対向させることで、各下側取付金具２６に各分割リブ突起３４を宛がっている。このため、本実施例のキャリングケース１０では、各分割リブ突起３４が、Ｘ方向正側からＺ方向負側に亘る曲面とされた受入凹所３５で各下側取付金具２６（架渡部分２６ｄ）を支えるので、より確実に各下側取付金具２６の変形を防止できる。
【００３７】
キャリングケース１０では、各下側取付金具２６に宛がう板形状の各分割リブ突起３４が、各下側取付金具２６とケース本体１３（第１環状リブ突条２９Ａおよび負側Ｘ側面１８Ｂ（それらの外表面））との間に形成する空間を分割する。このため、キャリングケース１０では、ベルト部材６０の各フック部６２に加えて他の被装着部材のフック部（本実施例では衝撃吸収部材５０のフック部５４）を各下側取付金具２６に取り付けた際、それらが干渉することを防止できる。これにより、キャリングケース１０では、下側取付金具２６に取り付けたフック部６２やフック部（フック部５４）が干渉に起因して下側取付金具２６から外れたり、フック部６２が設けられた肩掛ベルト部６１とフック部（フック部５４）に設けられたベルト部等（取付ベルト部５２）とが絡まったりすることを防止できる。特に、本実施例のキャリングケース１０では、各分割リブ突起３４のＸ方向負側への突出位置と、下側取付金具２６におけるＸ方向負側への突出位置とを略等しくしているので、フック部６２とフック部（フック部５４）との干渉やそれに起因する事象の発生をより確実に防止できる。このため、キャリングケース１０では、使い勝手をより向上させることができる。
【００３８】
キャリングケース１０では、取付部としての上側取付金具２５に宛がうリブ突起としての一対の補助リブ突起３１を、ケース本体１３の側面（正側Ｘ側面１８Ａ）において上側取付金具２５の両立上基部分２５ａに沿って伸びるものとしている。このため、キャリングケース１０では、両補助リブ突起３１が両立上基部分２５ａを支持するので、安定して支持することができ、各フック部６２の取り付けの機能が損なわれることをより確実に防止できる。特に、本実施例のキャリングケース１０では、立上基部分２５ａ（その外周面）に倣う形状に切り欠いて形成した受入凹所３２を当該立上基部分２５ａに対向させることで、上側取付金具２５に各補助リブ突起３１を宛がっている。このため、本実施例のキャリングケース１０では、各補助リブ突起３１が、Ｘ方向負側からＹ方向外側に亘る曲面とされた受入凹所３２で上側取付金具２５（両立上基部分２５ａ）を支えるので、より確実に上側取付金具２５の変形を防止できる。
【００３９】
キャリングケース１０では、各補助リブ突起３１を、第１中央リブ突条２１のＹ方向で見た両端部に沿って当該第１中央リブ突条２１（正側Ｘ側面１８Ａ）と第１環状リブ突条２９Ａとから突出する板形状としている。このため、キャリングケース１０では、各補助リブ突起３１を第１中央リブ突条２１のデザインと一体化させて見せることができ、意匠性を向上させつつ上側取付金具２５の変形を防止できる。特に、本実施例のキャリングケース１０では、上側取付金具２５を設けていない各Ｘ側面１８における他の３つの第１中央リブ突条２１上に、各補助リブ突起３１と略等しい構成の各補助リブ突起３３を設けている。このため、本実施例のキャリングケース１０では、両Ｘ側面１８の各補助リブ突起３１の構成を略等しくできるので、さらに意匠性を向上させることができるとともに、上側取付金具２５の変形を防止できる。
【００４０】
キャリングケース１０では、上側取付金具２５には一対の補助リブ突起３１を宛がい、両下側取付金具２６には分割リブ突起３４を宛がっている。このように、キャリングケース１０では、取付部を設ける位置に応じてリブ突起の構成（宛がう態様）を変化させているので、設計の自由度を高めつつ意匠性を向上させることができるとともに、各取付部の変形を防止できる。
【００４１】
したがって、本発明に係るキャリングケースの一実施例としてのキャリングケース１０では、フック部６２を介してベルト部材６０を装着することができる。
【００４２】
なお、上記した実施例では、本発明に係るキャリングケースの一実施例としてのキャリングケース１０について説明したが、中空の箱状を呈するケース本体と、前記ケース本体に設けられた取付部と、を備え、前記取付部は、前記ケース本体から立ち上がる一対の立上基部分と、前記両立上基部分の突出端を架け渡す架渡部分と、を有し、少なくとも一部に前記ケース本体から突出するリブ突起が宛がわれているキャリングケースであればよく、上記した実施例に限定されない。
【００４３】
また、上記した実施例では、取付部として、正側Ｘ側面１８Ａに単一の上側取付金具２５を設け、負側Ｘ側面１８Ｂに２つの下側取付金具２６を設けている。しかしながら、取付部は、ベルト部材（６０）のフック部（６２）の取り付けを可能とすべくケース本体１３に設けられるものであれば、その位置、個数および構成は適宜設定すればよく、上記した実施例に限定されない。また、上記した実施例では、環状リブ突条２９（その第１環状リブ突条２９Ａ）に取付部（上側取付金具２５および各下側取付金具２６）を設けていたが、ケース本体１３（その外表面）から突出して設けるものであれば、他の態様でもよく、上記した実施例に限定されない。
【００４４】
さらに、上記した実施例では、ベルト部材６０を装着しているが、フック部を取付部に取り付けることでケース本体１３（キャリングケース１０）に装着できるものであって、当該フック部が肩掛ベルト部に設けられた構成とされていれば、他の態様でもよく、上記した実施例に限定されない。
【００４５】
上記した実施例では、ベルト部材（６０）とは異なる他の被装着部材として衝撃吸収部材５０を装着しているが、フック部を取付部に取り付けることでケース本体１３（キャリングケース１０）に装着できるものであれば、例えば物を収容する収容袋でもよく、他の態様でもよく、上記した実施例に限定されない。
【００４６】
以上、本発明のキャリングケースを実施例に基づき説明してきたが、具体的な構成については実施例に限られるものではなく、本発明の要旨を逸脱しない限り、設計の変更や追加等は許容される。
【符号の説明】
【００４７】
１０  キャリングケース
１３  ケース本体
１６  （正面の一例としての）第１正面
１８  （側面の一例としての）Ｘ側面
２１  （線状リブ突条の一例としての）第１中央リブ突条
２５  （取付部の一例としての）上側取付金具
２５ａ  立上基部分
２５ｂ  架渡部分
２６  （取付部の一例としての）下側取付金具
２６ｃ  立上基部分
２６ｄ  架渡部分
２９  環状リブ突条
３１  （リブ突起の一例としての）補助リブ突起
３４  （リブ突起の一例としての）分割リブ突起
【図１】
0006619599.tif 000002
【図２】
0006619599.tif 000003
【図３】
0006619599.tif 000004
【図４】
0006619599.tif 000005
【図５】
0006619599.tif 000006
【図６】
0006619599.tif 000007
【図７】
0006619599.tif 000008
【図８】
0006619599.tif 000009
【図９】
0006619599.tif 000010